(57)【要約】【課題】蒸発器に付着した霜が多くても、使用者の使い勝手を損ねることなく、除霜装置の異常な発熱を抑制しながら良好に除霜できる除霜システムを備えた冷蔵庫を提供する。【解決手段】除霜装置１３の駆動継続時間が予め定める第１の時間ＴＭ１に達したと判定した際、および、蒸発器１１の温度が予め定める第１の温度ＴＸになったと判定した際に、除霜装置１３の駆動を停止する基本除霜操作機能を有すると共に、第１の時間ＴＭ１に達した際に検知される蒸発器１１の温度情報に基づいて追加の除霜操作の要否を判定し、停止後の予め定める第２の時間ＴＭ２経過後に除霜装置１３を再駆動する追加除霜操作機能を有する冷蔵庫１とした。【選択図】図２
2015163827.tif 000002
【特許請求の範囲】
【請求項１】
冷気を生成する蒸発器と、冷気が流通する冷気通路と、前記蒸発器の除霜を行う除霜装置と、前記冷気通路を介して流通する冷気によって冷却される貯蔵室と、前記蒸発器の温度を検知する温度検出器と、を備え、温度検出器による温度検出機能とタイマー機能とを有して前記除霜装置の駆動を制御する制御部を具備した冷蔵庫であって、
前記制御部は、前記除霜装置の駆動継続時間が予め定める第１の時間に達したと判定した際、および、前記蒸発器の温度が予め定める第１の温度に達したと判定した際に、前記除霜装置の駆動を停止する基本除霜操作機能を有すると共に、
第１の時間に達した際に検知される前記蒸発器の温度情報に基づいて追加の除霜操作の要否を判定し、前記停止後の予め定める第２の時間経過後に前記除霜装置を再駆動する追加除霜操作機能を有することを特徴とする冷蔵庫。
【請求項２】
前記温度情報は、第１の時間に達した際に検知された前記蒸発器の温度が第１の温度より低い温度であり予め定める第２の温度より低いか否かの情報であって、前記追加除霜操作機能は、当該温度が第２の温度よりも低い場合に追加の除霜操作が必要と判定して、前記除霜装置を再駆動する延長除霜操作を行うことを特徴とする請求項１に記載の冷蔵庫。
【請求項３】
前記温度情報は、基本除霜操作終了時の前記蒸発器の温度と、この後の所定時間経過後の前記蒸発器の温度を比較し、温度が低下しているか否かの情報であって、前記追加除霜操作機能は、当該温度が低下していることが確認された場合に追加の除霜操作が必要と判定して、前記除霜装置を再駆動する延長除霜操作を行うことを特徴とする請求項１に記載の冷蔵庫。
【請求項４】
前記再駆動は、蒸発器の温度が第１の温度に達したと判定された場合に、または、再駆動の継続時間が第１の時間よりも短い時間であり予め設定される第３の時間経過したと判定された場合に、停止され、
前記追加除霜操作機能は、第３の時間となって再駆動を停止した場合には、再駆動停止後の予め定められる第４の時間経過後に除霜装置を再々駆動する再延長除霜操作の要否の判定を行うことを特徴とする請求項１から３のいずれかに記載の冷蔵庫。
【請求項５】
前記再駆動は、蒸発器の温度が第１の温度に達したと判定された場合に、または、再駆動の継続時間が第１の時間よりも短い時間であり予め設定される第３の時間経過したと判定された場合に、停止され、
前記追加除霜操作機能は、第３の時間経過後に前記再駆動が停止された場合には、前記基本除霜操作機能の第１の時間を元の設定時間よりも長くするか、もしくは、前記基本除霜操作機能の除霜能力を上げるか、の少なくとも一方を設定変更して次回の基本除霜操作を行うことを特徴とする請求項１から３のいずれかに記載の冷蔵庫。
【発明の詳細な説明】
【技術分野】
【０００１】
本発明は、蒸発器の霜取りを行う除霜装置を備えた冷蔵庫に関する。
【背景技術】
【０００２】
従来、冷蔵庫は、食料や飲料などを低温で貯蔵する冷蔵室や、食料を冷凍保存したり冷凍食品などを貯蔵したりするための冷凍室、および、肉類や魚介類などの生鮮食品を冷蔵温度よりも低い温度で貯蔵するチルド室などの複数の貯蔵室が設けられている。
【０００３】
また、所定の冷気を生成するための蒸発器（冷却器）、この生成された冷気を冷凍室やチルド室および冷蔵室に送る送風ファンと冷気通路を備えた構成とされる。冷気通路を介して供給される冷気は、冷気通路に設けられる複数の吐出口から分岐されて、それぞれの貯蔵室に吐出される。
【０００４】
各貯蔵室に吐出された冷気は、それぞれの貯蔵室から戻り通路を経由して蒸発器に戻される。すなわち、蒸発器で生成される冷気は冷蔵庫内を循環するように構成されており、これにより、生成した冷気の有効利用を図ることができて、冷却のためのコストを低減している。
【０００５】
また、蒸発器表面に霜が付着して冷気通路を塞いでしまうと所定の冷気が流れなくなってしまうので、蒸発器表面に付着する霜を溶かすための霜取りヒータを備えた冷蔵庫が広く採用されている。例えば、霜取りヒータと蒸発器表面の着霜を検出するセンサや蒸発器の温度を検出する温度センサを備えた除霜装置を備えた冷蔵庫が一般に用いられている。
【０００６】
また、霜取りヒータが異常に発熱するのを防止するために温度ヒューズを備えた冷蔵庫も既に提案されており、例えば、蒸発器近傍に設置する温度センサの検出温度に基づいて霜取りヒータへの通電を制御すると共に、所定温度以上で溶断して霜取りヒータへの通電を遮断する温度ヒューズを備えた冷蔵庫が提案されている（例えば、特許文献１参照）。
【０００７】
また、霜取りヒータの通電時間が長くなると、庫内温度が上昇して貯蔵物に悪影響を及ぼしたり、温度ヒューズが溶断して冷蔵庫が運転不能になったりして問題となるので、こられの不具合を防止するために、霜取りヒータへの通電時間を制限するタイマーを備えた冷蔵庫も既に提案されている（例えば、特許文献２参照）。
【先行技術文献】
【特許文献】
【０００８】
【特許文献１】特開２００３−３５４８３号公報
【特許文献２】特開昭６３−２０１４７５号公報
【発明の概要】
【発明が解決しようとする課題】
【０００９】
霜取りヒータと蒸発器表面の着霜を検出するセンサや蒸発器近傍の温度を検出する温度センサなどを備えた除霜装置を用いることにより、蒸発器表面に付着する霜を溶かす除霜操作を行うことが可能になる。また、所定温度で溶断して霜取りヒータへの通電を遮断する温度ヒューズを用いることにより、霜取りヒータを過剰に駆動することに起因して生じる異常な発熱を防ぐことが可能になる。
【００１０】
しかしながら、温度ヒューズが溶断してしまうと冷蔵庫の機能が損なわれたり停止したりして問題となる。また、特許文献２に記載のタイマーを用いて霜取りヒータへの通電時間を制限することにより温度ヒューズの溶断を防ぐことは可能になるが、除霜装置が正常に作動しても、所定の時間内に霜が取りきれない場合があり問題となる。
【００１１】
例えば、庫内に高湿の食品を入れた場合や、高湿環境下で冷蔵庫を使用し扉を長時間または頻繁に開けた場合などが相当する。このような場合には、蒸発器に着霜する霜の量が通常よりも多くなり、通常の除霜運転では霜が取りきれない場合が生じて問題となる。
【００１２】
そのため、蒸発器に着霜する霜の量が多い場合であっても、使用者の使い勝手を損ねることなく着霜した霜を確実に除霜できることが望ましく、除霜装置の異常な発熱を抑制しながら所定の除霜効果を発揮する除霜システムであることが望ましい。
【００１３】
そこで本発明は、上記問題点に鑑み、蒸発器に付着した霜が多くても、使用者の使い勝手を損ねることなく、除霜装置の異常な発熱を抑制しながら良好に除霜できる除霜システムを備えた冷蔵庫を提供することを目的とする。
【課題を解決するための手段】
【００１４】
上記目的を達成するために本発明は、冷気を生成する蒸発器と、冷気が流通する冷気通路と、蒸発器の除霜を行う除霜装置と、冷気通路を介して流通する冷気によって冷却される貯蔵室と、蒸発器の温度を検知する温度検出器と、を備え、温度検出器による温度検出機能とタイマー機能とを有して除霜装置の駆動を制御する制御部を具備した冷蔵庫であって、制御部は、除霜装置の駆動継続時間が予め定める第１の時間に達したと判定した際、および、蒸発器の温度が予め定める第１の温度に達したと判定した際に、除霜装置の駆動を停止する基本除霜操作機能を有すると共に、第１の時間に達した際に検知される蒸発器の温度情報に基づいて追加の除霜操作の要否を判定し、前記停止後の予め定める第２の時間経過後に除霜装置を再駆動する追加除霜操作機能を有することを特徴としている。
【００１５】
この構成によると、除霜装置の基本除霜操作終了後に、蒸発器の温度情報に基づいて追加の除霜操作が必要と判定した際には、所定時間経過後に除霜装置を再駆動するので、除霜装置の異常な発熱を抑制しながら溶け切っていない霜を良好に溶かすことができる。また、蒸発器の温度情報に基づいて追加の除霜操作は必要ないと判定した際には追加の除霜操作は行わないので、除霜装置の過剰な駆動に起因する不具合を防止できる。すなわち、本発明によれば、蒸発器に付着した霜が多くても、使用者の使い勝手を損ねることなく、除霜装置の異常な発熱を抑制しながら良好に除霜できる除霜システムを備えた冷蔵庫を得ることができる。
【００１６】
また本発明は上記構成の冷蔵庫において、前記追加除霜操作機能は、所定時間経過後に除霜装置を再駆動する延長除霜操作を行うことでよく、延長除霜操作後の所定時間経過後に除霜装置を再々駆動する再延長除霜操作を行うことでもよい。また、次回の除霜操作を行う基本除霜操作の設定変更を行うことでもよく、これらを適宜組み合わせた構成であってもよい。
【発明の効果】
【００１７】
本発明によれば、基本除霜操作を行った際に着霜が溶け切らずに残存している状況であっても、蒸発器の温度情報に基づいて追加の除霜操作の要否を判定し除霜装置を再駆動する追加除霜操作機能を介して、追加の除霜操作が必要と判定した際に、除霜装置を一旦停止した後の所定時間経過後に再駆動して延長除霜操作を実行するので、使用者の使い勝手を損ねることなく、除霜装置の異常な発熱を抑制しながら良好に除霜できる除霜システムを備えた冷蔵庫を得ることができる。
【図面の簡単な説明】
【００１８】
【図１】本発明に係る冷蔵庫の一例を示す概略側面断面図である。
【図２】本発明に係る冷蔵庫が備える除霜システムの基本構成を示すブロック図である。
【図３】除霜システムの概要を示すタイムチャートである。
【図４】除霜操作工程の実施例１を示すフローチャートである。
【図５】実施例１の除霜操作工程のタイムチャートである。
【図６】除霜操作工程の実施例２を示すフローチャートである。
【図７】実施例２の除霜操作工程のタイムチャートである。
【図８】除霜操作工程の実施例３を示すフローチャートである。
【図９】実施例３の除霜操作工程のタイムチャートである。
【図１０】除霜操作工程の実施例４を示すフローチャートである。
【図１１】実施例４の除霜操作工程のタイムチャートである。
【図１２】除霜操作工程の実施例５を示すフローチャートである。
【図１３】除霜システムの全体構成を示すブロック図である。
【発明を実施するための形態】
【００１９】
以下に本発明の実施形態を図面を参照して説明する。また、同一構成部材については同一の符号を用い、詳細な説明は適宜省略する。まず本実施形態に係る冷蔵庫の一例について、図１を用いて説明する。
【００２０】
図１に示すように、本実施形態に係る冷蔵庫１は、本体部を構成する断熱箱体２の上部に冷凍室４が設けられ、この下に冷蔵室３や野菜室５などが設けられる。冷蔵室３は貯蔵物を冷蔵保存し、冷凍室４は貯蔵物を冷凍保存する。冷蔵室３および冷凍室４は一端を枢支される回動式の扉３ａ、４ａによってそれぞれ開閉される。
【００２１】
冷凍室４の背面には第１冷気通路７が配設されており、この第１冷気通路７に蒸発器（冷却器）１１と送風ファン１２が設置されている。また、蒸発器１１の下方に蒸発器１１の除霜を行う除霜ヒータを備えた除霜装置１３が設置されている。また、冷凍室４には第１冷気通路７から冷気が流入する吐出口７ａと、冷気を第１冷気通路７に戻す戻り口７ｂが設けられる。
【００２２】
冷蔵室３の背面上部には第２冷気通路８が配設されており、断熱壁９に設けられるダンパ（不図示）を介して第１冷気通路７に連通する。第２冷気通路８には、冷蔵室３に臨む吐出口（不図示）が開口し、また、冷蔵室３には冷気を第１冷気通路７に戻す戻り口（不図示）が設けられる。そのために、蒸発器１１により生成された冷気は、送風ファン１２を介して、図中の矢印Ｅ１に示すように、冷凍室４の上部に設ける吐出口７ａから流入し、下部に設ける戻り口７ｂから流出する。また、第２冷気通路８に設ける吐出口を介して冷気が冷蔵室３に流入し、冷蔵室３の内部を流通した冷気は戻り口から第１冷気通路７に戻る。
【００２３】
断熱箱体２の下部後方には機械室６が設けられ、機械室６には冷凍サイクルを運転する圧縮機１０が設置される。圧縮機１０には冷媒管を介して凝縮器、キャピラリチューブ、蒸発器１１が順に接続される。圧縮機１０の駆動により冷媒が冷媒管を流通し、冷凍サイクルが運転される。
【００２４】
送風ファン１２を駆動すると第１冷気通路７に空気が流通し、冷凍サイクルの低温部に配置される蒸発器１１と熱交換する。これにより冷気が生成され吐出口７ａから冷凍室４内に流入して冷凍室４内を冷却する。冷凍室４を流通した冷気は戻り口７ｂを介して蒸発器１１に戻る。また、ダンパを開くと第２冷気通路８に冷気が流通し、吐出口から冷蔵室３や野菜室５などに流出し、別に設ける戻り口を介して蒸発器１１に戻る。
【００２５】
冷蔵室３の上部にはフレッシュケース２０が設けられており、フレッシュケース２０の横には電装部品を収納する電装ボックス２１が配設されている。電装ボックス２１内には、圧縮機１０、蒸発器１１、送風ファン１２などの各装置を駆動するための回路基板が装着される。本実施形態における除霜装置１３の駆動を制御する制御部２４もこの回路基板に含まれる。また、冷蔵室３や冷凍室４内には、冷蔵室３内の温度を設定するスイッチ２２や、冷凍室４内の温度を設定するスイッチ２３などが設けられている。
【００２６】
上記したように、冷蔵室３、冷凍室４、野菜室５などの各貯蔵室に吐出された冷気は、それぞれの貯蔵室から戻り通路を経由して蒸発器１１に戻される。すなわち、蒸発器１１で生成される冷気は冷蔵庫内を循環するように構成されており、これにより、生成した冷気の有効利用を図ることができる。
【００２７】
冷蔵庫内を循環して戻された冷気は食品などから放出された水分を含むため、この冷気が蒸発器１１によって冷却されると蒸発器１１の表面に霜が付着する。蒸発器１１の表面に霜が付着して冷気通路を塞いでしまうと所定の冷気が流れなくなってしまうので、蒸発器表面に付着する霜を溶かすための除霜装置１３を設置している。除霜装置１３は蒸発器１１を除霜するための除霜ヒータ（ガラス管ヒータ）と、除霜により生じるドレン水を受けるドレンパンを備える。また、冷蔵庫１は、除霜ヒータに通じる電源線に介在する温度ヒューズ１４と、蒸発器１１の温度を検出するための温度検出器１５とを備える。
【００２８】
温度検出器１５は、蒸発器１１の表面の着霜状態を検出するためのものであり、蒸発器１１に接触する状態だけでなく、蒸発器の表面近傍に配される場合も含む。そして、蒸発器１１の温度とは、蒸発器の表面の着霜状態を検出するための温度を示す。また、温度検出器１５は除霜ヒータから離れた位置に配置されることで、除霜ヒータを駆動しても霜が残りやすい部分の着霜状態を確実に検出できる。したがって、除霜ヒータに対して、温度検出器１５は温度ヒューズ１４よりも離れている場合が多く、温度ヒューズ１４は温度検出器１５に比べて加熱されやすい。
【００２９】
従来の除霜装置は、除霜装置を駆動開始して駆動継続時間が予め定める第１の時間に達した時、および、蒸発器１１の温度が予め定める第１の温度に達した時に除霜装置の駆動を停止するように構成される。
【００３０】
しかし、蒸発器１１に着霜する霜の量が通常よりも多い場合は、通常の除霜運転では霜が取りきれない虞が生じるので、本実施形態においては、除霜運転開始後の駆動継続時間、および、蒸発器１１の温度に応じて駆動停止する基本除霜操作機能に加えて、基本除霜操作終了後の蒸発器１１の温度情報に基づいて追加の除霜操作の要否を判定し、必要と判定した時に除霜装置１３を再駆動する追加除霜操作機能を有する構成としている。
【００３１】
すなわち、図２に示すように、本実施形態に係る除霜システムは、除霜操作が開始されると、まず基本除霜操作機能ＦＫ１を介して基本除霜操作工程ＯＰ１が作動される。そして、基本除霜操作終了後に検知される蒸発器１１の温度情報に基づいて、追加除霜操作機能ＦＫ２を介して、追加除霜操作要否判定を行い、基本除霜操作工程ＯＰ１により良好な除霜効果が得られたと判断した場合には追加の除霜操作は不要と判定し除霜操作は停止される。しかし、基本除霜操作工程ＯＰ１により良好な除霜効果が得られなかったと判断した場合には追加の除霜操作が必要と判定して追加除霜操作工程ＯＰ２を実行するように構成される。
【００３２】
追加除霜操作要否判定は、基本除霜操作工程ＯＰ１終了後の蒸発器１１の温度情報に基づいて制御部２４が行う。すなわち、制御部２４は、温度検出器１５が検出する蒸発器１１の温度を記憶する機能とタイマー機能を有して除霜装置１３の駆動を制御すると共に、基本除霜操作工程ＯＰ１終了の際に検知される蒸発器１１の温度および温度変化を含む温度情報から追加の除霜操作の要否を判定し、追加の除霜操作が必要と判定したときに、追加除霜操作工程ＯＰ２を実行する。
【００３３】
ここで言う温度情報とは、基本除霜操作工程ＯＰ１終了時の蒸発器１１の温度が予め設定される設定温度よりも低いか否かを示す温度情報であり、また、蒸発器１１の温度が基本除霜操作工程ＯＰ１終了時の温度から低下するか否かを示す温度情報である。従って、追加除霜操作機能ＦＫ２は、除霜運転開始後の第１の時間に達した際に検知される蒸発器１１の温度に基づいて除霜装置１３を再駆動する第１の操作機能と、第１の時間に達した後の温度低下に基づいて除霜装置１３を再駆動する第２の操作機能との少なくとも一方を有する。
【００３４】
すなわち、本実施形態に係る冷蔵庫１は、冷気を生成する蒸発器１１と、冷気が流通する冷気通路と、蒸発器１１の除霜を行う除霜装置１３と、冷気通路を介して流通する冷気によって冷却される貯蔵室と、蒸発器１１の温度を検知する温度検出器１５と、を備え、温度検出器１５による温度検出機能（温度検出器１５が検出する温度を記憶する機能）とタイマー機能を有して除霜装置１３の駆動を制御する制御部２４を具備した冷蔵庫１であって、制御部２４は、除霜装置１３の駆動継続時間が予め定める第１の時間に達したと判断した際に、および、蒸発器１１の温度が予め定める第１の温度に達したと判断した際に除霜装置１３の駆動を停止する基本除霜操作機能ＦＫ１を有すると共に、第１の時間に達した際に検知される蒸発器１１の温度情報に基づいて、追加の除霜操作の要否を判定し、前記停止後の予め定める第２の時間経過後に除霜装置１３を再駆動する追加除霜操作機能ＦＫ２を有することを特徴としている。
【００３５】
この構成であれば、除霜装置１３の基本除霜操作終了後に、蒸発器１１の温度情報に基づいて追加の除霜操作が必要と判定した際には、所定時間経過後に除霜装置１３を再駆動するので、除霜装置１３の異常な発熱を抑制しながら溶け切っていない霜を良好に溶かすことができる。また、蒸発器１１の温度情報に基づいて追加の除霜操作は必要ないと判定した際には追加の除霜操作は行わないので、除霜装置１３の過剰な駆動を抑制して、温度ヒューズ１４の溶断や、蒸発器１１を通る冷媒の温度が上昇して冷凍サイクルの運転効率が低下するなどの不具合を防止できる。すなわち、本実施形態によれば、蒸発器１１に付着した霜が多くても、使用者の使い勝手を損ねることなく、除霜装置１３の異常な発熱を抑制しながら良好に除霜できる除霜システムを備えた冷蔵庫１を得ることができる。
【００３６】
例えば、温度情報は、第１の時間に達した際に検知された蒸発器１１の温度が第１の温度より低い温度であり予め定める第２の温度より低いか否かの情報であって、追加除霜操作機能ＦＫ２を介して、当該温度が第２の温度よりも低い場合に追加の除霜操作が必要と判定して、除霜装置１３を再駆動する延長除霜操作を行う。また、温度情報は、基本除霜操作終了の際の蒸発器１１の温度と、この後の所定時間経過後の蒸発器１１の温度を比較し、温度が低下しているか否かの情報であって、追加除霜操作機能ＦＫ２を介して、当該温度が低下していることが確認された場合に追加の除霜操作が必要と判定して、除霜装置１３を再駆動する延長除霜操作を行う構成でもよい。
【００３７】
また、追加除霜操作機能ＦＫ２は、制御部２４を介して、再駆動中の蒸発器１１の温度が第１の温度に達したと判定した場合、または、除霜装置１３の再駆動時間が予め設定され第１の時間よりも短い第３の時間を経過したことが確認された場合に、再駆動を停止する。そして、第３の時間経過後に再駆動を停止した場合には、再駆動停止後の予め定められる第４の時間経過後に除霜装置１３を再々駆動できる再延長除霜操作機能を有する構成であってもよい。
【００３８】
次に、図３を用いて本発明に係る冷蔵庫の除霜システムの基本構成について説明する。図３には、本発明に係る冷蔵庫の除霜システムの基本的なタイムチャートを示しており、温度ヒューズ１４の溶断を防止可能にできる除霜システムである。
【００３９】
図３に示す太線Ｌ１は、除霜装置１３のオン・オフの駆動状態を示し、曲線ＳＴは温度検出器１５により検出される蒸発器１１の温度を示し、曲線ＦＴは温度ヒューズ１４の温度を示す。また、縦軸に示すＴＸは除霜終了温度であり、予め設定される第１の温度である。最上部のＦＴＣはヒューズ溶断温度である。
【００４０】
図の下部の横軸方向に示すＨ１は除霜装置１３の基本除霜操作期間（第１の時間、例えば７０分）を示し、ＳＰ１は基本除霜操作が停止して延長除霜操作が開始されるまでの停止期間（第２の時間、例えば５分）を示し、Ｈ２は延長除霜操作期間（第３の時間、例えば６分）を示す。また、ＴＭ１〜ＴＭ５は各時刻を示し、例えば、時刻ＴＭ１は、除霜装置１３の基本除霜操作期間が終了した第１の時間Ｈ１経過後の時刻であり、ＴＭ２は、時刻ＴＭ１から第２の時間ＳＰ１経過後の時刻であり、ＴＭ３は、第３の時間Ｈ２経過後の時刻である。
【００４１】
曲線ＦＴが示すように、温度ヒューズ１４の温度は、基本除霜操作期間Ｈ１の間は徐々に昇温する。第１の時間Ｈ１が経過後の時刻ＴＭ１にて除霜装置１３が停止すると温度ヒューズ１４の温度は徐々に低下する。そして、第２の時間ＳＰ１が経過後の時刻ＴＭ２にて除霜装置１３が再駆動された後、停止される第３の時間Ｈ２が経過後の時刻ＴＭ３まで徐々に昇温する。このように、ＴＭ１〜ＴＭ２の間は除霜装置１３を停止するためＴＭ２においては一旦低下した温度になっているので、除霜装置１３を再駆動しても、ヒューズ溶断温度ＦＴＣには容易には達しないようにできる。
【００４２】
また、蒸発器１１の温度は、除霜装置１３が駆動されている間は徐々に昇温していくのは同じであるが、付着した霜の量に応じて、その昇温程度が異なる。また、除霜装置１３が停止された後の温度変化も、残存する霜の量に応じて異なる。
【００４３】
例えば、図中のＣＡ１に示すケースは、基本除霜操作が終了した時刻ＴＭ１において、蒸発器１１の温度Ｔｅ１は除霜終了温度（第１の温度ＴＸ）に達していないケースを示す。この例は、例えば、蒸発器１１に付着した霜の量が多い場合が相当する。
【００４４】
この場合には、基本除霜操作期間Ｈ１経過後の蒸発器１１の温度情報から制御部２４が追加除霜操作機能ＦＫ２を介して延長除霜操作の要否を判定する。そして、延長除霜操作が必要と判定した場合は、所定時間経過後の時刻ＴＭ２に除霜装置１３を再駆動して延長除霜操作を開始する。延長除霜操作は延長除霜操作期間Ｈ２が終了する時刻ＴＭ３で終了する。もちろん、この延長除霜操作期間Ｈ２中であっても蒸発器１１の温度が第１の温度ＴＸ（除霜終了温度）に達した場合には延長除霜操作を停止する。
【００４５】
また、延長除霜操作終了後の蒸発器１１の温度情報に応じて再延長除霜操作を行ってもよい。例えば、図中の破線に示すように、時刻ＴＭ３から所定時間（第４の時間ＳＰ２）経過した時刻ＴＭ４から時刻ＴＭ５までの間を再延長除霜操作期間Ｈ３（第５の時間）として再延長除霜操作を行ってもよい。
【００４６】
次に、追加除霜操作機能ＦＫ２により実施される各操作内容に対応した実施例１〜実施例５について図４〜図１３を用いて順に説明する。
【００４７】
〈実施例１〉
まず、図４に示すフローチャートと図５に示すタイムチャートを用いて実施例１について説明する。実施例１は、除霜運転開始後の第１の時間に達した際（時刻ＴＭ１）に検知される蒸発器１１の温度Ｔｅ１が第２の温度ＴＡよりも低い温度情報に基づいて追加の除霜操作が必要と判定して除霜装置１３を再駆動する第１の操作機能に関する実施例である。また、図５の縦軸に表示している０は温度０℃の位置を示しており、第１の温度ＴＸは０℃以上に設定されている。
【００４８】
除霜操作が開始されるとステップＳ１の基本除霜操作開始（時刻ＴＭ０）となる。続いてステップＳ２にて駆動継続時間が第１の時間に達した（時刻ＴＭ１）か否かが判定され、第１の時間に達したと判定された場合にはＹ方向に進み、基本除霜操作停止（ステップＳ４）となる。また、ステップＳ２において駆動継続時間が第１の時間に達していないと判定された時はＮ方向に進み、蒸発器１１の温度Ｔｅが第１の温度ＴＸに達したか否かが判定され（ステップＳ３）、第１の温度ＴＸに達したと判定された場合にはＹ方向に進み、基本除霜操作を停止（ステップＳ４）してステップＳ８の通常制御に戻る（図５のＣＡ１１に相当）。第１の温度ＴＸに達していない場合にはＮ方向に進みステップＳ２に戻る。
【００４９】
基本除霜操作停止（ステップＳ４）の後は、時刻ＴＭ１における蒸発器１１の温度Ｔｅ１が第２の温度ＴＡよりも低いか否かの判定を行い（ステップＳ５）、ＹＥＳの場合にはＹ方向に進み、所定時間経過後（第２の時間経過後）の時刻ＴＭ２に延長除霜操作開始（ステップＳ６）となる（図５のＣＡ１３に相当）。また、ステップＳ５でＮＯであればＮ方向に進み延長除霜操作は実施せずにステップＳ８の通常制御に戻る（図５のＣＡ１２に相当）。
【００５０】
ステップＳ６の延長除霜操作開始が実行された後は、ステップＳ６Ａにて、蒸発器の温度Ｔｅが第１の温度ＴＸ以上か否かを判定し、ＹＥＳであればＹ方向に進み延長除霜操作を停止（ステップＳ７）して通常制御に戻ってもよい（ステップＳ８）。
【００５１】
ステップＳ６ＡにてＮＯであればＮ方向に進み、駆動継続時間が第３の時間経過後の時刻ＴＭ３に達したか否かを判定する（ステップＳ６Ｂ）。ステップＳ６ＢでＮＯであれば図のＮ方向に進みステップＳ６Ａに戻り、ＹＥＳであればＹ方向に進み、延長除霜操作を停止（ステップＳ７）する。
【００５２】
すなわち、本実施例は、基本除霜操作期間が終了する時刻ＴＭ１における蒸発器１１の温度Ｔｅ（Ｔｅ１）が第２の温度ＴＡよりも低いときに追加の除霜操作が必要と判定する。また、本実施例のステップＳ１〜ステップＳ４が基本除霜操作機能ＦＫ１に相当し、ステップＳ５〜ステップＳ７が追加除霜操作機能ＦＫ２に相当する。
【００５３】
例えば、図５に示すＣＡ１１のように、基本除霜操作工程中に第１の温度ＴＸに達した場合にはその時点で基本除霜操作が停止され、延長除霜操作は行わず、通常制御に戻る。また、ＣＡ１２のように、基本除霜操作終了時の時刻ＴＭ１における蒸発器１１の温度Ｔｅ１が第２の温度ＴＡよりも高くなっている場合には、延長除霜操作は行わず、通常制御に戻る。
【００５４】
ただし、ＣＡ１３の場合は、基本除霜操作が終了した時刻ＴＭ１において、蒸発器１１の温度Ｔｅ１は除霜終了温度（第１の温度ＴＸ）に達しておらず、それよりも低い設定温度（第２の温度ＴＡ）にも達していない。この例は、例えば、蒸発器１１に付着した霜の量が多い場合が相当する。
【００５５】
この場合には、基本除霜操作期間Ｈ１経過後の蒸発器１１の温度Ｔｅ１が第２の温度ＴＡよりも低いことから制御部２４が追加除霜操作機能ＦＫ２を介して延長除霜操作が必要と判定する。そして、所定時間経過後（第２の時間ＳＰ１経過後）の時刻ＴＭ２に除霜装置１３を再駆動して（図中のＯＮ表示に相当）延長除霜操作を開始する。延長除霜操作は延長除霜操作期間が終了する第３の時間Ｈ２経過後の時刻ＴＭ３で終了する。もちろん、この延長除霜操作期間中であっても蒸発器１１の温度が第１の温度ＴＸ（除霜終了温度）に達した場合には延長除霜操作を停止する。
【００５６】
延長除霜操作期間Ｈ２は基本除霜操作期間Ｈ１よりも短い時間に設定される。本実施形態では、基本除霜操作期間Ｈ１（第１の時間）は７０分であり、延長除霜操作期間Ｈ２（第３の時間）は６分としている。延長除霜操作期間Ｈ２を短く設定することにより、蒸発器１１の温度が上がり過ぎることを防ぐことができる。また、これらの設定期間は使用者が適宜変更可能であることが好ましい。
【００５７】
上記した第２の温度ＴＡは氷の融点よりも高く、且つ、冷蔵室３の目標設定温度（例えば５℃）よりも低いことが好ましい。すなわち、第２の温度ＴＡは０〜３℃程度がよい。また、除霜終了温度（第１の温度ＴＸ）は、第２の温度ＴＡより高い５〜１０℃程度が好ましい。
【００５８】
第２の温度ＴＡを氷の融点よりも高くすることにより、氷が融解中（潜熱熱交換中）の状態では蒸発器１１の温度に達しないので延長除霜操作が必要と判断でき、残存している着霜を確実に除霜可能になる。また、冷蔵室３の目標設定温度よりも低くすることにより、蒸発器１１の温度が冷蔵室３以上となっているにもかかわらずに延長除霜操作してしまい、除霜操作時の熱が冷蔵室３内に伝わってしまうことを防止可能になる。
【００５９】
なお、本実施例では、基本除霜操作期間Ｈ１経過後の蒸発器１１の温度Ｔｅ１が第２の温度ＴＡよりも低いときに追加の除霜操作が必要と判定しているが、これに限らず、例えば、Ｔｅ１は基本除霜操作が終了してから所定の時間が経過後であってもよい。この場合は、基本除霜操作の終了時に、除霜装置１３の駆動を停止した際のノイズによって温度検出器１５の検出値が揺れてしまうことがあっても、その揺れが収まってからの温度検出器１５の検出値を使用することで、より正確に蒸発器１１の温度を検出できる。また、除霜装置１３の駆動を停止しても若干の間はヒータが熱を有していることがあり、これによる温度変化を過ぎた後に蒸発器１１の温度を検出することができる。
【００６０】
〈実施例２〉
次に、図６に示すフローチャートと図７に示すタイムチャートを用いて、第１の時間に達した（時刻ＴＭ１）後、蒸発器１１の温度が低下する温度情報に基づいて追加の除霜操作が必要と判定して再駆動する第２の操作機能に関する実施例を実施例２として説明する。図６は、基本除霜操作工程に相当する初期の工程は実施例１と同様のため省略しておりステップＳ５からステップＳ８までの追加除霜操作工程のみを表示している。
【００６１】
本実施例においては、基本除霜操作停止（ステップＳ４）の後に、時刻ＴＭ１における蒸発器１１の温度Ｔｅ１を記憶する（ステップＳ５Ａ）。次に、ステップＳ５Ｂに進み、所定時間経過後、すなわち、停止期間ＳＰ１（第２の時間）経過後の時刻ＴＭ２における温度Ｔｅ２と、ステップＳ５Ａで記憶された時刻ＴＭ１の蒸発器の温度Ｔｅ１と、を比較して、温度が低下したか否か（Ｔｅ１≧Ｔｅ２）を判定する。このステップＳ５ＢにおいてＹＥＳの場合にはＹ方向に進み、時刻ＴＭ２に延長除霜操作開始（ステップＳ６）する（図７のＣＡ２３に相当）。また、ステップＳ５ＢでＮＯであればＮ方向に進み延長除霜操作は実施せずにステップＳ８の通常制御に戻る（図７のＣＡ２２に相当）。
【００６２】
例えば、停止期間ＳＰ１（第２の時間）が５分であれば、この５分経過後の温度Ｔｅ２が温度Ｔｅ１よりも低下したか否かを確認して、延長除霜操作が必要か否かを判定する。すなわち、５分経過後の温度Ｔｅ２が温度Ｔｅ１よりも低下していることが確認される（図７のＣＡ２３に相当）と延長除霜操作が必要と判定し、５分経過後の温度Ｔｅ２が温度Ｔｅ１よりも上がっていることが確認される（図７のＣＡ２２に相当）と延長除霜操作は不要と判定する。
【００６３】
上記の構成であれば、基本除霜操作が終了した後、追加除霜操作機能ＦＫ２を介して蒸発器１１の温度が低下したことを検知した際に追加の除霜操作が必要と判定し第２の時間経過後に除霜装置１３を再駆動する延長除霜操作を行うので、溶け切っていない霜を良好に溶かすことができる。これは、基本除霜操作が終了しても霜が未だ溶けきっていない状態では、除霜装置１３の駆動を停止した後、残った霜によって蒸発器１１の温度が徐々に低下するからである。
【００６４】
また、基本除霜操作が終了した時に霜がほとんど溶けきっている状態では、除霜装置１３の駆動を停止した後であってもヒータ余熱により蒸発器１１の温度は低下しない。そのために、第１の時間経過後（時刻ＴＭ１）の蒸発器の温度Ｔｅ１と所定時間経過後（第２の時間経過後の時刻ＴＭ２）の温度Ｔｅ２とを比較して、Ｔｅ１≧Ｔｅ２であることが確認されたときに、延長除霜操作が必要と判定すればよい。
【００６５】
また、ステップＳ６の延長除霜操作開始の後、ステップＳ６Ａにて、蒸発器の温度Ｔｅが第１の温度ＴＸ以上か否かを判定し、ＹＥＳであればＹ方向に進み延長除霜操作を停止（ステップＳ７）して通常制御に戻ってもよい（ステップＳ８）。
【００６６】
ステップＳ６ＡにてＮＯであればＮ方向に進み、駆動継続時間が第３の時間に達した（時刻ＴＭ３）か否かを判定する（ステップＳ６Ｂ）。ステップＳ６ＢでＮＯであれば図のＮ方向に進みステップＳ６Ａに戻り、ＹＥＳであればＹ方向に進み、延長除霜操作を停止（ステップＳ７）する。
【００６７】
例えば、図７に示すＣＡ２１のように、基本除霜操作工程中に第１の温度ＴＸに達した場合には基本除霜操作が停止される。また、ＣＡ２２のように、基本除霜操作終了時の時刻ＴＭ１における蒸発器１１の温度Ｔｅ１が第１の温度ＴＸに達していないが、第２の時間経過後の時刻ＴＭ２における蒸発器１１の温度Ｔｅ２が温度Ｔｅ１よりも高くなっている場合には、除霜装置１３が停止した後であっても余熱効果で蒸発器の温度が上昇できるほどの残霜量しかない状態に相当するため、延長除霜操作は行わず、通常制御に戻る。
【００６８】
ただし、ＣＡ２３の場合は、基本除霜操作が終了した時刻ＴＭ１における蒸発器１１の温度Ｔｅ１は除霜終了温度に達しておらず、除霜装置１３の停止期間中に蒸発器１１の温度が低下するケースであり、これは、除霜装置１３が停止した後の余熱では溶かせないほど残霜量が多い状態に相当する。この場合には、追加除霜操作機能ＦＫ２を介して、基本除霜操作が終了した時刻ＴＭ１から所定時間経過した第２の時間経過後の時刻ＴＭ２に除霜装置１３を再駆動して延長除霜操作を開始する。このケースにおいても蒸発器１１の温度が除霜終了温度（第１の温度ＴＸ）に達した場合には延長除霜操作を停止することは同じである。
【００６９】
なお、本実施例では、基本除霜操作が終了した時刻ＴＭ１における蒸発器１１の温度Ｔｅ１と、所定時間経過後（第２の時間経過後の時刻ＴＭ２）の蒸発器１１の温度Ｔｅ２とを比較した結果に基づいて、延長除霜操作の要否を判定しているが、これに限らず、例えば、Ｔｅ１は基本除霜操作が終了してから所定の時間が経過後であってもよく、また、Ｔｅ２は第２の時間が経過するよりも所定の時間だけ前であってもよい。また、Ｔｅ１とＴｅ２との比較に代えて、時刻ＴＭ１から時刻ＴＭ２の間の所定の時刻における蒸発器１１の温度の温度変化傾向に基づいて、延長除霜操作の要否を判定してもよい。
【００７０】
次に、延長除霜操作後の制御の各実施形態について説明する。実施例３は、延長除霜操作後にさらに再延長除霜操作を行う実施例であり、実施例４は、延長除霜操作後に次回の除霜プログラムを変更する実施例であり、実施例５は、再延長除霜操作後に次回の除霜プログラムを変更する実施例である。従って、これらの実施例３〜５は、前述した実施例１、２のいずれとも組み合わせ可能である。
【００７１】
〈実施例３〉
次に、図８に示すフローチャートと図９に示すタイムチャートを用いて、延長除霜操作終了時に霜がまだ溶け切っていない温度情報を検知した場合に、さらに追加の除霜操作が必要と判定して再延長除霜操作を行う実施例を実施例３として説明する。図８は、ステップＳ６の延長除霜操作開始からステップＳ８の通常制御までの追加除霜操作工程のみを表示している。
【００７２】
ステップＳ６の延長除霜操作開始の後、ステップＳ６Ａにて、蒸発器の温度Ｔｅが第１の温度ＴＸ以上か否かを判定し、ＹＥＳであればＹ方向に進み延長除霜操作を停止（ステップＳ７）して通常制御に戻る（ステップＳ８）。
【００７３】
ステップＳ６ＡにてＮＯであればＮ方向に進み、駆動継続時間が第３の時間に達した（時刻ＴＭ３）か否かを判定する（ステップＳ６Ｂ）。ステップＳ６ＢでＮＯであれば図のＮ方向に進みステップＳ６Ａに戻り、ＹＥＳであればＹ方向に進み、延長除霜操作を停止（ステップＳ７）する。
【００７４】
延長除霜操作停止（ステップＳ７）の後は、時刻ＴＭ３における蒸発器１１の温度Ｔｅ３が第２の温度ＴＡよりも低いか否かの判定を行い（ステップＳ７Ａ）、ＹＥＳの場合にはＹ方向に進み、所定時間経過後（第４の時間ＳＰ２経過後）の時刻ＴＭ４に再延長除霜操作開始（ステップＳ７Ｂ）となる（図９のＣＡ３３に相当）。また、ステップＳ７ＡでＮＯであればＮ方向に進み再延長除霜操作は実施せずにステップＳ８の通常制御に戻る（図９のＣＡ３２に相当）。
【００７５】
ステップＳ７Ｂの再延長除霜操作開始からステップＳ７Ｃの再延長除霜操作停止までの実行手順は、ステップＳ６〜ステップＳ７と同様で、駆動継続時間を変更した手順とすればよい。
【００７６】
このように、図９のＣＡ３３に示す如く、延長除霜操作終了時の時刻ＴＭ３に達しても、蒸発器の温度Ｔｅ（Ｔｅ３）が第２の温度ＴＡを超えない場合には、時刻ＴＭ３から所定時間（停止期間ＳＰ２）経過後の時刻ＴＭ４から最長で第５の時間経過後の時刻ＴＭ５までの間、すなわち、延長除霜操作期間Ｈ３の間、再延長除霜操作を行う。
【００７７】
上記したように本実施例においては、除霜装置１３の再駆動を実行した後、第３の時間経過後の時刻ＴＭ３となって再駆動を停止した場合には、再駆動停止後の予め定められる第４の時間経過後（時刻ＴＭ４）に除霜装置１３を再々駆動する再延長除霜操作を行う（再延長除霜操作機能を有する）ことを特徴としている。すなわち、除霜装置１３の駆動を強制的に終了させる第３の時間経過後の時刻ＴＭ３に達しても、蒸発器の温度Ｔｅが第２の温度ＴＡを超えない場合には、再延長除霜操作を行う。この構成であれば、基本除霜操作後に延長除霜操作機能が発揮されて除霜装置１３を再駆動してもまだ蒸発器１１の温度が上がらない場合には、さらなる追加の除霜操作が必要と判定して除霜装置１３を再々駆動させることにより、溶け切っていない霜をさらに良好に溶かすことができる。
【００７８】
なお、本実施例では、再延長除霜操作の要否判定（ステップＳ７Ａ）で、時刻ＴＭ３における蒸発器１１の温度Ｔｅ３が第２の温度ＴＡよりも低いか否かを判定しているが、これに代えて、実施例２のステップＳ５Ａ、Ｓ５Ｂと同様に、時刻ＴＭ３〜時刻ＴＭ４の間の異なる２つの時点における蒸発器１１の温度変化傾向に基づいて、再延長除霜操作の要否を判定してもよい。
【００７９】
〈実施例４〉
次に、図１０に示すフローチャートと図１１に示すタイムチャートを用いて、延長除霜操作終了時に霜がまだ溶け切っていない温度情報を検知した場合に、次回の除霜プログラムを変更する実施例を実施例４として説明する。この実施形態は、図３に示す太線Ｌ１に相当する除霜装置１３の駆動条件を変更して次回の除霜操作を行う実施形態である。また、図１０は、ステップＳ６の延長除霜操作開始からステップＳ８の通常制御までの追加除霜操作工程のみを表示している。
【００８０】
ステップＳ６の延長除霜操作開始の後、ステップＳ６Ａにて、蒸発器の温度Ｔｅが第１の温度ＴＸ以上か否かを判定し、ＹＥＳであればＹ方向に進み延長除霜操作を停止（ステップＳ７）して通常制御に戻る（ステップＳ８）。
【００８１】
ステップＳ６ＡにてＮＯであればＮ方向に進み、駆動継続時間が第３の時間に達した（時刻ＴＭ３）か否かを判定し（ステップＳ６Ｂ）、ＮＯであれば図のＮ方向に進みステップＳ６Ａに戻り、ＹＥＳであればＹ方向に進み、延長除霜操作を停止（ステップＳ７）した後、除霜プログラム変更操作（ステップＳ７Ｄ）して通常制御に戻る（ステップＳ８）。
【００８２】
例えば、実施例３で示したＣＡ３３（図９を参照）のように、延長除霜操作終了時の時刻ＴＭ３に達しても、蒸発器の温度Ｔｅ（Ｔｅ３）が第２の温度ＴＡを超えない場合には、蒸発器１１の着霜量がかなり多い、もしくは、蒸発器１１に着霜しやすい環境（冷蔵庫内に高湿の食品が入っている、冷蔵庫扉３ａ、４ａの開扉時間が長いなど）であると判断できる。このような状態では、次回の除霜を実施例１や２と同様の除霜手順で行っても、蒸発器１１の霜を取り除くことは難しい。
【００８３】
そこで、本実施例では、上記の状態であると判断した場合には、基本除霜操作工程ＯＰ１や追加除霜操作工程ＯＰ２における除霜プログラムを変更することで、除霜能力を上げて、より確実に蒸発器１１の霜を取り除くことを可能にする。
【００８４】
除霜プログラム変更操作は、除霜装置１３の基本除霜操作期間Ｈ１を延長する、または延長除霜操作期間Ｈ２を延長する変更とすることができる。基本除霜操作期間Ｈ１と延長除霜操作期間Ｈ２との両方を延長してもよい。また、ヒータ出力を増加させる変更であってもよい。従って、本実施形態においては、延長除霜操作を行っても除霜が完全でない場合には、次回の除霜操作において、より長い時間除霜操作する、また、ヒータ出力を高くして除霜操作を行うようにする。
【００８５】
上記した除霜プログラム変更操作は制御部２４自身が行う。すなわち、本実施形態に係る制御部２４は、第３の時間経過後の時刻ＴＭ３に除霜装置１３の再駆動が停止された場合に、依然として除霜が不十分であると判断された場合には、第１の時間Ｈ１を元の設定時間よりも長くする、第３の時間Ｈ２を元の設定時間よりも長くする、除霜ヒータの出力を高くするなどの設定変更をして次回の除霜操作を行う除霜プログラム変更操作機能を有する。
【００８６】
従って、本実施例の追加除霜操作機能ＦＫ２は、追加除霜操作要否判定機能と延長除霜操作機能と除霜プログラム変更操作機能とを有する。
【００８７】
図１１に、本実施例に示す除霜プログラム変更操作機能によって除霜プログラムが変更された場合のタイムチャートを示す。図１１に示すＣＡ４１は、実施例３で示したＣＡ３３と同様であり、延長除霜操作終了時の時刻ＴＭ３に達しても、蒸発器の温度Ｔｅ（Ｔｅ３）が第２の温度ＴＡを超えていない。この場合に、本実施例では除霜プログラム変更操作機能によって除霜プログラムを変更する。
【００８８】
ＣＡ４２は、基本除霜操作期間Ｈ１をＨ１ａに延長する除霜プログラム変更を施した場合である。このように、基本除霜操作期間を延長することで、より多くの熱量が蒸発器１１に与えられ、この例では、基本除霜操作期間Ｈ１ａが経過後の時刻ＴＭ１ａにおける蒸発器１１の温度Ｔｅ１ａは第２の温度ＴＡよりも高くなっている。したがって、延長除霜操作は実施されなくなる。
【００８９】
ＣＡ４３は、基本除霜操作工程ＯＰ１での除霜ヒータの出力を高くする除霜プログラム変更を施した場合である。このように除霜ヒータの出力を高くすることでも、より多くの熱量が蒸発器１１に与えられ、この例では、基本除霜操作期間Ｈ１が経過後の時刻ＴＭ１における蒸発器１１の温度Ｔｅ１は第２の温度ＴＡよりも高くなっている。したがって、延長除霜操作は実施されなくなる。
【００９０】
このように、除霜プログラム変更操作機能によって次回の除霜能力を上げて除霜操作を行うことで、より確実に蒸発器１１の霜を取り除くことができる。
【００９１】
なお、上記の除霜プログラム変更を行ったままでは、冷蔵庫の状態が変化して蒸発器１１の着霜量が減った場合に、蒸発器１１の過熱によって冷蔵庫の冷却効率が低下したり、温度ヒューズ１４が溶断してしまうおそれがある。そこで、除霜プログラム変更操作機能は、変更された除霜プログラムを元に戻す機能を有している。例えば、基本除霜操作期間中に蒸発器１１の温度Ｔｅが第１の温度ＴＸに達した場合には、基本除霜操作工程ＯＰ１での除霜能力は現在の状態に対して過剰であると判断し、除霜プログラム変更操作機能は変更された除霜プログラムを元に戻すようにすることができる。他にも延長除霜操作を実施しないなどの条件で除霜プログラムを元に戻すようにしてもよい。
【００９２】
上記の構成であれば、基本除霜操作と延長除霜操作とを用いた１回目の除霜操作により除霜しきれなかった場合には、除霜能力を高くした新たな除霜プログラムに変更して次回の除霜操作を行うことになるので、蒸発器１１に付着した霜が多くなっても良好に除霜できる除霜システムを構築できる。
【００９３】
〈実施例５〉
除霜プログラム変更操作は、再延長除霜操作を実行しても除霜しきれなかった場合に実行するようにしてもよい。この実施例を図１２に示すフローチャートを用いて実施例５として説明する。
【００９４】
図１２のフローチャートに示す除霜操作工程は、図８を用いて説明した実施例３の再延長除霜操作停止（ステップＳ７Ｃ）の後に、除霜プログラム変更操作（ステップＳ７Ｄ）を追加したものである。その他の構成は実施例３と同様であるので詳細な説明は省略する。
【００９５】
すなわち、本実施例の追加除霜操作機能ＦＫ２は、追加除霜操作要否判定機能と延長除霜操作機能と再延長除霜操作機能と除霜プログラム変更操作機能とを有する。この構成であれば、基本除霜操作と延長除霜操作に加えて再延長除霜操作を実施した場合には、次回の除霜操作を行う除霜プログラムを変更して設定される。従って、蒸発器１１に付着する霜が多くなる状況であっても、次回の除霜操作は好適な除霜プログラムに変更可能になって、さらに良好に除霜できる除霜システムを構築できる。
【００９６】
上記した実施例１〜実施例５で説明したように、本発明に係る冷蔵庫１は、基本除霜操作機能ＦＫ１に加えて、基本除霜操作終了後の蒸発器１１の温度情報に基づいて延長除霜操作を行う追加除霜操作機能ＦＫ２を備えた構成とされる。また、追加除霜操作機能ＦＫ２は、追加除霜操作要否判定機能と延長除霜操作機能と再延長除霜操作機能と除霜プログラム変更操作機能とを有し、延長除霜操作と再延長除霜操作と除霜プログラム変更操作とをそれぞれ個別に、また、組み合わせて操作可能とされる。
【００９７】
これらの除霜プログラム構成について図１３を用いてさらに説明する。本発明に係る冷蔵庫１が備える除霜システムは、図１３に示すように、基本除霜操作のみで通常制御に戻る基本除霜操作工程ＯＰ１を実施可能である。また、基本除霜操作に加えて追加の除霜操作を行う追加除霜操作工程ＯＰ２を実施可能である。
【００９８】
追加除霜操作工程ＯＰ２は、基本除霜操作に加えて延長除霜操作を行う第１追加除霜操作工程ＯＰ２１と、基本除霜操作と延長除霜操作に加えて再延長除霜操作を行う第２追加除霜操作工程ＯＰ２２と、基本除霜操作と延長除霜操作と再延長除霜操作に加えて除霜プログラム変更操作を行う第３追加除霜操作工程ＯＰ２３と、基本除霜操作と延長除霜操作に加えて除霜プログラム変更操作を行う第４追加除霜操作工程ＯＰ２４とを含む。
【００９９】
従って、これらの追加除霜操作工程ＯＰ２（第１追加除霜操作工程ＯＰ２１〜第４追加除霜操作工程ＯＰ２４）を適用することにより、本発明に係る冷蔵庫１は、蒸発器１１に付着する霜が突発的に多くなっても、日常的に増加する状況でも、除霜装置１３の異常な発熱を抑制しながら良好に除霜可能になる。
【０１００】
例えば、基本除霜操作工程ＯＰ１のみでは除霜完了しなかった場合には、まず、基本除霜操作に加えて延長除霜操作を実行することにより、突発的な着霜量の増加に対応可能となる。また、日常的に着霜量が増加する場合には、延長除霜操作が繰り返し実行されたり、延長除霜操作を実行しても除霜が完了しなくなったりする状況となるので、このような場合には、再延長除霜操作、および／または、除霜プログラム変更操作を採用することによりさらなる除霜効果を発揮可能になる。
【０１０１】
上記したように、本発明の請求項１に対応した課題を解決する手段は、冷気を生成する蒸発器１１と、冷気が流通する冷気通路（第１冷気通路７、第２冷気通路８）と、蒸発器１１の除霜を行う除霜装置１３と、冷気通路を介して流通する冷気によって冷却される貯蔵室と、蒸発器１１の温度を検知する温度検出器１５と、を備え、温度検出器１５による温度検出機能とタイマー機能を有して除霜装置１３の駆動を制御する制御部２４を具備した冷蔵庫１であって、制御部２４は、除霜装置１３の駆動継続時間が予め定める第１の時間に達した（時刻ＴＭ１）と判定した際、および、蒸発器１１の温度が予め定める第１の温度ＴＸになったと判定した際に、除霜装置１３の駆動を停止する基本除霜操作機能ＦＫ１を有すると共に、第１の時間に達した際に検知される蒸発器１１の温度情報に基づいて追加の除霜操作の要否を判定し、前記停止後の予め定める第２の時間経過後（時刻ＴＭ２）に除霜装置１３を再駆動する追加除霜操作機能ＦＫ２を有することである。
【０１０２】
この請求項１に対応した効果は、除霜装置１３の基本除霜操作終了後に、制御部２４を介して、蒸発器１１の温度情報に基づいて追加の除霜操作が必要と判定した際には、所定時間経過後に除霜装置１３を再駆動するので、除霜装置１３の異常な発熱を抑制しながら溶け切っていない霜を良好に溶かすことができる。また、蒸発器１１の温度情報に基づいて追加の除霜操作は必要ないと判定した際には追加の除霜操作は行わないので、除霜装置の過剰な駆動に起因する不具合を防止できる。すなわち、本発明によれば、蒸発器１１に付着した霜が多くても、使用者の使い勝手を損ねることなく、除霜装置１３の異常な発熱を抑制しながら良好に除霜できる除霜システムを備えた冷蔵庫１を得ることができる。
【０１０３】
請求項２に対応した課題を解決する手段は、温度情報は、第１の時間に達した（時刻ＴＭ１）際に検知された蒸発器１１の温度が第１の温度ＴＸより低い温度であり予め定める第２の温度ＴＡより低いか否かの情報であって、追加除霜操作機能ＦＫ２は、当該温度が第２の温度よりも低い場合に追加の除霜操作が必要と判定して、除霜装置１３を再駆動する延長除霜操作を行うことである。この請求項２に対応した効果は、除霜装置１３の駆動継続時間が予め定める第１の時間に達した際、すなわち、時刻ＴＭ１に基本除霜操作が終了したときに、蒸発器１１の温度が第２の温度ＴＡよりも低い温度情報を示す場合には、霜が未だ溶けていない状態と判断して追加の除霜操作が必要と判定し、所定時間経過後に除霜装置１３を再駆動して延長除霜操作を行うので、溶け切っていない霜を良好に溶かすことができる。
【０１０４】
請求項３に対応した課題を解決する手段は、温度情報は、基本除霜操作終了時の蒸発器１１の温度と、この後の所定時間経過後の蒸発器１１の温度を比較し、温度が低下しているか否かの情報であって、追加除霜操作機能ＦＫ２は、当該温度が低下していることが確認された場合に追加の除霜操作が必要と判定して、除霜装置１３を再駆動する延長除霜操作を行うことである。この請求項３に対応した効果は、除霜装置１３の駆動継続時間が予め定める第１の時間に達して基本除霜操作を停止した後、蒸発器１１の温度が低下している温度情報を検知した場合は、霜が未だ溶けきっていない状態を示すと判断して追加の除霜操作が必要と判定し、第２の時間経過後（時刻ＴＭ２）に除霜装置１３を再駆動する延長除霜操作を行うので、溶け切っていない霜を良好に溶かすことができる。
【０１０５】
請求項４に対応した課題を解決する手段は、再駆動は、蒸発器１１の温度が第１の温度ＴＸに達したと判定された場合に、または、再駆動の継続時間が第１の時間よりも短い時間であり予め設定される第３の時間経過した（時刻ＴＭ３）と判定された場合に、停止され、追加除霜操作機能ＦＫ２は、第３の時間経過後（時刻ＴＭ３）に再駆動が停止された場合には、再駆動停止後の予め定められる第４の時間経過後（時刻ＴＭ４）に除霜装置１３を再々駆動する再延長除霜操作の要否の判定を行うことである。この請求項４に対応した効果は、基本除霜操作終了後に追加除霜操作機能を介して除霜装置１３を再駆動しても、所定の駆動時間内に蒸発器１１の温度が上がらずに除霜停止温度に達しない場合には、さらなる追加の除霜操作が必要かどうかを判定して、必要と判定した場合には所定時間経過後に除霜装置１３を再々駆動させることにより、溶け切っていない霜を良好に溶かすことができる。
【０１０６】
請求項５に対応した課題を解決する手段は、再駆動は、蒸発器１１の温度が第１の温度ＴＸに達したと判定された場合に、または、再駆動の継続時間が第１の時間よりも短い時間であり予め設定される第３の時間経過したと判定された場合に、停止され、追加除霜操作機能ＦＫ２は、第３の時間経過後（時刻ＴＭ３）に再駆動が停止された場合には、基本除霜操作機能の第１の時間を元の設定時間よりも長くするか、もしくは、基本除霜操作機能の除霜能力を上げるか、の少なくとも一方を設定変更して次回の基本除霜操作を行うことである。この請求項５に対応した効果は、基本除霜操作と延長除霜操作を含む１回目の除霜操作により除霜しきれなかった場合には、除霜時間か除霜能力のいずれか一方または両方を変更して次回の基本除霜操作を行うことになるので、蒸発器１１に付着した霜が多くなる状態であっても良好に除霜できる除霜システムを構築できる。
【０１０７】
また、追加除霜操作機能ＦＫ２は、延長除霜操作機能と再延長除霜操作機能と除霜プログラム変更操作機能と、を備え、延長除霜操作機能に続いて再延長除霜操作機能を発揮すると共に、再延長除霜操作機能が実行された後に除霜プログラム変更操作機能を発揮する構成であってもよい。この構成であれば、基本除霜操作と延長除霜操作に加えて再延長除霜操作を実施した場合には、次回の除霜プログラムを変更して新たなプログラムに設定されるので、蒸発器１１に付着する霜が多くなる状況であっても、好適な除霜プログラムに変更可能になり、さらに良好に除霜できる除霜システムを構築できる。
【０１０８】
上記したように本発明によれば、基本除霜操作を行った際に着霜が溶け切らずに残存している状況であっても、蒸発器１１の温度情報に基づいて追加の除霜操作の要否を判定し除霜装置１３を再駆動する追加除霜操作機能を介して、追加の除霜操作が必要と判定した際に、除霜装置１３を一旦停止した後の所定時間経過後に再駆動して延長除霜操作を実行するので、蒸発器１１に付着した霜が多くても、使用者の使い勝手を損ねることなく、除霜装置１３の異常な発熱を抑制しながら良好に除霜できる除霜システムを備えた冷蔵庫１を得ることができる。
【０１０９】
また、冷蔵庫の設定温度や外気温の変化に対しても適切な除霜工程を実現できるので、使用者にとって利便性の向上した除霜システムとなる。
【産業上の利用可能性】
【０１１０】
そのために、本発明に係る冷蔵庫は、庫内に高湿の食品を入れることが多く、扉を長時間または頻繁に開けることが多く、蒸発器に付着する霜が多くなることが想定される冷蔵庫に好適に利用可能となる。
【符号の説明】
【０１１１】
１    冷蔵庫
２    断熱箱体
３    冷蔵室
４    冷凍室
７    第１冷気通路
８    第２冷気通路
１０    圧縮機
１１    蒸発器
１２    送風ファン
１３    除霜装置
１４    温度ヒューズ
１５    温度検出器
２４    制御部
ＦＫ１    基本除霜操作機能
ＦＫ２    追加除霜操作機能
ＯＰ１    基本除霜操作工程
ＯＰ２    追加除霜操作工程
ＴＸ    第１の温度（除霜終了温度）
ＴＡ    第２の温度（設定温度）
ＴＭ１    （第１の時間経過後の）時刻
ＴＭ２    （第２の時間経過後の）時刻
ＴＭ３    （第３の時間経過後の）時刻
ＴＭ４    （第４の時間経過後の）時刻
Ｔｅ    蒸発器の温度
【図１】
2015163827.tif 000003
【図２】
2015163827.tif 000004
【図３】
2015163827.tif 000005
【図４】
2015163827.tif 000006
【図５】
2015163827.tif 000007
【図６】
2015163827.tif 000008
【図７】
2015163827.tif 000009
【図８】
2015163827.tif 000010
【図９】
2015163827.tif 000011
【図１０】
2015163827.tif 000012
【図１１】
2015163827.tif 000013
【図１２】
2015163827.tif 000014
【図１３】
2015163827.tif 000015